(57)【要約】【課題】テールコードの樹脂被覆の材質を変えることなく、テールコードの挙動不良を抑制することができるエレベータ装置を提供する。【解決手段】本発明によるエレベータ装置１は、エレベータの昇降路２と、この昇降路２内に昇降自在に設けられた乗りかご３と、この乗りかご３に一端１０Ａが連結され、他端１０Ｂが昇降路２上部に連結されたテールコード１０とを備えている。また、昇降路２内部に、テールコード１０を保護するテールコード保護金網１３が設けられている。さらに、このテールコード保護金網１３の内側に、テールコード１０の側方への動きを規制するテールコードガイド１４が設けられている。【選択図】図３
2009220936.tif 000002
【特許請求の範囲】
【請求項１】
エレベータの昇降路と、
この昇降路内に昇降自在に設けられた乗りかごと、
この乗りかごに一端が連結され、他端が昇降路上部に連結されたテールコードと、を備え、
昇降路内部に、テールコードを保護するテールコード保護金網が設けられ、
このテールコード保護金網の内側に、テールコードの側方への動きを規制するテールコードガイドが設けられることを特徴とするエレベータ装置。
【請求項２】
テールコードガイドの近傍に、テールコードを温める昇降路側ヒータが設けられることを特徴とする請求項１に記載のエレベータ装置。
【請求項３】
昇降路側ヒータの近傍に、テールコードの温度を測定する温度センサが設けられ、
この温度センサに、温度センサにより測定された温度に基づいて、昇降路側ヒータを制御する制御装置が接続されることを特徴とする請求項２に記載のエレベータ装置。
【請求項４】
乗りかご上に、テールコードを温める乗りかご側ヒータが設けられることを特徴とする請求項１に記載のエレベータ装置。
【請求項５】
昇降路の底部に、昇降路全体を温める底部側ヒータが設けられることを特徴とする請求項１に記載のエレベータ装置。
【発明の詳細な説明】
【技術分野】
【０００１】
本発明は、エレベータの昇降路と、この昇降路内に昇降自在に設けられた乗りかごと、この乗りかごに一端が連結され、他端が昇降路上部に連結されたテールコードとを備えたエレベータ装置に係り、とりわけ、テールコードの挙動不良を抑制することができるエレベータ装置に関する。
【背景技術】
【０００２】
従来より、エレベータの昇降路と、この昇降路内に昇降自在に設けられた乗りかごと、この乗りかごに一端が連結され、他端が昇降路上部に連結されたテールコードとを備えたエレベータ装置が知られている。このうちテールコードは、電力ケーブルと、電力ケーブルに並設された信号電送ケーブルと、この電力ケーブルと信号電送ケーブルとの周囲を覆う樹脂被覆とからなっており、その一端が乗りかごの下方に垂れ下がるように連結されている。
【発明の開示】
【発明が解決しようとする課題】
【０００３】
近年、マンションあるいはオフィスビルなどの高層化に伴い、このエレベータ装置の乗りかごが昇降路内を昇降する高低差が増えている。この場合、エレベータ装置のテールコードが乗りかごの下方に垂れ下がる長さが長くなるとともに、乗りかごが昇降路内を昇降する速度が増す。このため、乗りかごが昇降路内を昇降する際、テールコードの挙動不良が発生することがある。
【０００４】
また、上述したように、テールコードは樹脂被覆を有しており、この樹脂被覆は温度に対して柔軟性が異なる。例えば、昇降路内の温度を２０℃に設定してテールコードを設計した場合、夏場は昇降路内の温度が２０℃よりも高くなるため、樹脂被覆の柔軟性が高くなるが、冬場は昇降路内の温度が２０℃よりも低くなるため、樹脂被覆の柔軟性が低下する。このため、特に冬場において、乗りかごの昇降によりテールコードの挙動不良が発生しやすくなっている。
【０００５】
このようにしてテールコードの挙動不良が発生した場合、テールコードが昇降路内の他の部品に接触し、テールコード、またはこれらの部品が損傷することが考えられる。また、テールコードの挙動不良による騒音が発生し、この騒音が乗りかご内および乗り場に伝わり、エレベータの利用者に不快感を与えることも考えられる。
【０００６】
このような問題に対処するために、複数のテールコードを、連結具を用いて連結するテールコード挙動抑制装置が提案されている（例えば、特許文献１参照）。
【特許文献１】特開２００５−２９８１１９号公報
【０００７】
しかしながら、特許文献１に示すテールコード挙動抑制装置は、各テールコードの相対的な動きを拘束しているにすぎない。このため、テールコードの昇降路に対する絶対的な動きを拘束することは困難である。
【０００８】
また、上述したテールコードの樹脂被覆の柔軟性の問題について対処する方法として、エレベータ装置毎に、テールコードの樹脂被覆に異なる材質を用いる方法が考えられる。しかしながら、この方法を用いる場合、テールコードの製造コストが増大するとともに、樹脂被覆の材質の管理が複雑になるという問題がある。
【０００９】
本発明は、このような点を考慮してなされたものであり、テールコードの樹脂被覆の材質を変えることなく、テールコードの挙動不良を抑制することができるエレベータ装置を提供することを目的とする。
【課題を解決するための手段】
【００１０】
本発明は、エレベータの昇降路と、この昇降路内に昇降自在に設けられた乗りかごと、この乗りかごに一端が連結され、他端が昇降路上部に連結されたテールコードと、を備え、昇降路内部に、テールコードを保護するテールコード保護金網が設けられ、このテールコード保護金網の内側に、テールコードの側方への動きを規制するテールコードガイドが設けられることを特徴とするエレベータ装置である。
【００１１】
本発明は、テールコードガイドの近傍に、テールコードを温める昇降路側ヒータが設けられることを特徴とするエレベータ装置である。
【００１２】
本発明は、昇降路側ヒータの近傍に、テールコードの温度を測定する温度センサが設けられ、この温度センサに、温度センサにより測定された温度に基づいて、昇降路側ヒータを制御する制御装置が接続されることを特徴とするエレベータ装置である。
【００１３】
本発明は、乗りかご上に、テールコードを温める乗りかご側ヒータが設けられることを特徴とするエレベータ装置である。
【００１４】
本発明は、昇降路の底部に、昇降路全体を温める底部側ヒータが設けられることを特徴とするエレベータ装置である。
【発明の効果】
【００１５】
本発明によれば、昇降路内部に、テールコードを保護するテールコード保護金網が設けられ、このテールコード保護金網の内側に、テールコードの側方への動きを規制するテールコードガイドが設けられる。このことにより、テールコードガイドによりテールコードの側方への動きを拘束することができる。このため、テールコードの樹脂被覆の材質を変えることなく、テールコードガイドによりテールコードの挙動不良を抑制することができる。
【発明を実施するための形態】
【００１６】
第１の実施の形態
以下、図面を参照して、本発明の実施の形態について説明する。ここで、図１乃至図４は、本発明の第１の実施の形態におけるエレベータ装置を示す図である。このうち図１は、本発明の第１の実施の形態におけるエレベータ装置の全体構成を示す図であり、図２は、本発明の第１の実施の形態におけるエレベータ装置において、テールコードの断面構成を示す図であり、図３は、本発明の第１の実施の形態におけるエレベータ装置において、テールコードガイドの取付部の構成を示す図であり、図４は、本発明の第１の実施の形態におけるエレベータ装置において、テールコードガイドの取付部の構成を上方から示す図である。
【００１７】
まず、図１によりエレベータ装置１の全体構成について説明する。図１に示すようにエレベータ装置１は、エレベータの昇降路２と、この昇降路２内に、ガイドレール６により案内されて昇降自在に設けられた乗りかご３と、この乗りかご３に一端が連結され、この乗りかご３を吊り上げる主ロープ４と、この主ロープ４の他端に連結された釣合重り５とを備えている。また、昇降路２上側の機械室７に、主ロープ４を介して乗りかご３を駆動する駆動装置８が設けられ、この駆動装置８に制御装置９が接続されている。
【００１８】
また、図２に示すように、乗りかご３と機械室７に設けられた制御装置９との間に、テールコード１０が設けられている。このテールコード１０は、電力ケーブル１０ａと、電力ケーブル１０ａに並設された信号電送ケーブル１０ｂと、この電力ケーブル１０ａと信号電送ケーブル１０ｂとの周囲を覆う例えばゴム等からなる樹脂被覆１０ｃとを有し、その一端１０Ａが乗りかご３の下方に垂れ下がるように連結され、他端１０Ｂは制御装置９側に連結されている。
【００１９】
次に本発明によるエレベータ装置１について、図３および図４を用いて更に説明する。
【００２０】
図３および図４に示すように、乗りかご３を案内するガイドレール６の外面に、レールクリップ１２を用いて、複数のガイド用ブラケット１１が取り付けられている。各ガイド用ブラケット１１に、後述するテールコード保護金網１３および各テールコードガイド１４を取り付けるための複数の取付穴（図示せず）が設けられている。
【００２１】
また、各ガイド用ブラケット１１の内側に、複数のテールコード１０を保護するテールコード保護金網１３が設けられている。また、テールコード保護金網１３の内側に、各テールコード１０の側方（一対のガイドレール６の方向に直交する方向）への動きを規制する複数、例えば３列のテールコードガイド１４が設けられ、各テールコードガイド１４の間にテールコード１０が各々配置されるようになっている。なお、本実施の形態においては、２本のテールコード１０に対応して３列のテールコードガイド１４が設けられている例について述べるが、３列のテールコードガイド１４を設けることに限られることはなく、テールコード１０の本数に対応して任意の数の列からなるテールコードガイド１４を設けることもできる。
【００２２】
また、各テールコードガイド１４は、その断面がＬ字形に形成され、ボルト１５を用いてテールコード保護金網１３とともに各ガイド用ブラケット１１に取り付けられている。このことにより、各テールコードガイド１４を用いてテールコード金網１３を取り付けることができるので、従来、テールコード保護金網１３を取り付けるために使用していた金網押さえ板（図示せず）が不要となる。
【００２３】
また、各ガイド用ブラケット１１は、乗りかご３が昇降する昇降範囲に渡って数メートル間隔でガイドレール６に取り付けられている。各テールコードガイド１４は、隣接するガイド用ブラケット１１間に渡って順次取り付けられており、このようにして各テールコードガイド１４は、乗りかご３が昇降する昇降範囲に渡って断続的に取り付けられている。
【００２４】
次に、このような構成からなる本実施の形態の作用について説明する。
【００２５】
図３および図４に示すように、昇降路２内を乗りかご３が昇降する際、この乗りかご３の昇降に伴ってテールコード１０が側方に大きく振れることが考えられる。この場合、各テールコード１０の側方への動きは、各テールコード１０の両側方に配置された各テールコードガイド１４により拘束される。このため、各テールコード１０が側方へ振れることを抑制することができる。
【００２６】
また、テールコードガイド１４は、上述したように、昇降路２側に、乗りかご３が昇降する昇降範囲に渡って断続的に設けられている。このため、乗りかご３が昇降する範囲において、テールコード１０が側方へ振れることを抑制することができる。
【００２７】
また、上述したように、各テールコードガイド１４の外面にテールコード保護金網１３が設けられている。このことにより、各テールコード１０が昇降路２側へ振れる場合、このテールコード１０はテールコード保護金網１３により拘束される。このため、各テールコード１０が昇降路２側へ向かって振れることも抑制することができる。
【００２８】
また、冬場等のように昇降路２内の温度が低い場合、各テールコード１０の樹脂被覆１０ｃ（図２参照）の柔軟性が低下し、各テールコード１０の挙動不良が生じやすいが、この場合においても、各テールコード１０は各テールコードガイド１４により拘束される。
【００２９】
このように本実施の形態によれば、昇降路２内部に、２本のテールコード１０を保護するテールコード保護金網１３が設けられ、このテールコード保護金網１３の内側に、各テールコード１０の側方への動きを規制する３列のテールコードガイド１４が設けられる。この場合、各テールコードガイド１４の間に各テールコード１０が配置される。このことにより、各テールコードガイド１４によって各テールコード１０の側方への動きを拘束することができる。このため、各テールコード１０の樹脂被覆１０ｃの材質を変えることなく、テールコードガイド１４により各テールコード１０の挙動不良を抑制することができる。
【００３０】
第２の実施の形態
次に、図５により、本発明の第２の実施の形態におけるエレベータ装置について説明する。ここで図５は、本発明の第２の実施の形態におけるエレベータ装置において、昇降路側ヒータの取付部の構成を示す図である。
【００３１】
図５に示す第２の実施の形態において、テールコードガイドの近傍に、テールコードを温める昇降路側ヒータが設けられている点が異なるのみであり、他の構成は、図１乃至図４に示す第１の実施の形態と略同一である。なお、図５において、図１乃至図４に示す第１の実施の形態と同一部分には同一符号を付して詳細な説明は省略する。
【００３２】
図５に示すように、各ガイド用ブラケット１０の内側に、各テールコード１０を温める電熱線（昇降路側ヒータ）１６が設けられている。また、各電熱線１６の内側に、テールコード保護金網１３（図３参照）が設けられ、このテールコード保護金網１３の内側に、各テールコードガイド１４が設けられている。なお、各電熱線１６は、各テールコード１０の温度が過度に高くなることを防止するために、低温型のヒータであることが好ましい。
【００３３】
このように本実施の形態によれば、各ガイド用ブラケット１１の内側に設けられた電熱線１６により各テールコード１０を温めることができる。このことにより、昇降路２の温度が低下した場合であっても、各テールコード１０の樹脂被覆１０ｃの温度を上昇させて、各テールコード１０の樹脂被覆１０ｃの柔軟性を高くすることができる。このため、各テールコード１０の樹脂被覆１０ｃの材質を変えることなく、電熱線１６により各テールコード１０の挙動不良を確実に抑制することができる。
【００３４】
第３の実施の形態
次に、図６により、本発明の第３の実施の形態におけるエレベータ装置について説明する。ここで図６は、本発明の第３の実施の形態におけるエレベータ装置において、温度センサが取り付けられた状態を示す図である。
【００３５】
図６に示す第３の実施の形態において、テールコードガイドの近傍に、テールコードの温度を測定する温度センサが設けられている点が異なるのみであり、他の構成は、図５に示す第２の実施の形態と略同一である。なお、図６において、図５に示す第２の実施の形態と同一部分には同一符号を付して詳細な説明は省略する。
【００３６】
図６に示すように、乗りかご３を案内するガイドレール６の外面であって、各ガイド用ブラケット１１に対応する位置に、センサ用ブラケット１８が取り付けられている。各センサ用ブラケット１８の先端に、電熱線１６（図５参照）近傍の各テールコード１０付近の温度を測定する温度センサ１７が取り付けられている。
【００３７】
また、各温度センサ１７に、各温度センサ１７により測定された温度に基づいて、各電熱線１６を制御する制御装置９が接続されている。
【００３８】
図６に示す本実施の形態において、まず、各電熱線１６近傍の各テールコード１０付近の温度が各温度センサ１７により測定される。次に、この測定された温度に基づいて、制御装置９により、各テールコード１０の温度を一定に保つように各電熱線１６が制御される。このことにより、昇降路２内の温度に関わらず、各テールコード１０の温度を略一定に保つことができる。
【００３９】
このように本実施の形態によれば、各電熱線１６の近傍に、各テールコード１０付近の温度を測定する温度センサ１７が設けられ、制御装置９により、温度センサ１７において測定された温度に基づいて各電熱線１６が制御される。このことにより、昇降路２内の温度に関わらず、各テールコード１０の温度を略一定に保つことができる。このため、各テールコード１０の樹脂被覆１０ｃの柔軟性を略均一に高くすることができる。
【００４０】
第４の実施の形態
次に、図７により、本発明の第４の実施の形態におけるエレベータ装置について説明する。ここで図７は、本発明の第４の実施の形態におけるエレベータ装置において、乗りかご上に乗りかご側ヒータが取り付けられた状態を示す図である。
【００４１】
図７に示す第４の実施の形態において、乗りかご上に、テールコードを温める乗りかご側ヒータが設けられている点が異なるのみであり、他の構成は、図１乃至図４に示す第１の実施の形態と略同一である。なお、図７において、図１乃至図４に示す第１の実施の形態と同一部分には同一符号を付して詳細な説明は省略する。
【００４２】
図７に示すように、乗りかご３上の各テールコード１０側に、各テールコード１０を温める乗りかご側ヒータ１９が設けられている。
【００４３】
このように本実施の形態によれば、乗りかご３上に設けられた乗りかご側ヒータ１９により、乗りかご３の昇降に応じて各テールコード１０を温めることができる。このことにより、昇降路２の温度が低下した場合であっても、各テールコード１０の樹脂被覆１０ｃの温度を上昇させて、各テールコード１０の樹脂被覆１０ｃの柔軟性を高くすることができる。このため、各テールコード１０の樹脂被覆１０ｃの材質を変えることなく、乗りかご側ヒータ１９により各テールコード１０の挙動不良を確実に抑制することができる。
【００４４】
また本実施の形態によれば、乗りかご３上に１つの乗りかご側ヒータ１９を設けることにより、各テールコード１０が乗りかご３の昇降に応じて温められる。このため、昇降路２側に多数のヒータを設ける場合に比べて、ヒータを設置するコストを抑えることができる。
【００４５】
第５の実施の形態
次に、図８により、本発明の第５の実施の形態におけるエレベータ装置について説明する。ここで図８は、本発明の第５の実施の形態におけるエレベータ装置において、昇降路の底部に底部側ヒータが取り付けられた状態を示す図である。
【００４６】
図８に示す第５の実施の形態において、昇降路の底部に、昇降路全体を温める底部側ヒータが設けられている点が異なるのみであり、他の構成は、図１乃至図４に示す第１の実施の形態と略同一である。なお、図８において、図１乃至図４に示す第１の実施の形態と同一部分には同一符号を付して詳細な説明は省略する。
【００４７】
図８に示すように、昇降路２の底部２ａに、昇降路２全体を温める底部側ヒータ２０が設けられている。
【００４８】
このように本実施の形態によれば、昇降路２の底部２ａに設けられた底部側ヒータ２０により、昇降路２の温度が低下した場合であっても昇降路２全体を温めることができる。このことにより、各テールコード１０全体の樹脂被覆１０ｃの温度を上昇させて、各テールコード１０の樹脂被覆１０ｃの柔軟性を全体的に高くすることができる。このため、各テールコード１０の樹脂被覆１０ｃの材質を変えることなく、底部側ヒータ２０により各テールコード１０の挙動不良を確実に抑制することができる。
【図面の簡単な説明】
【００４９】
【図１】図１は、本発明の第１の実施の形態におけるエレベータ装置の全体構成を示す図。
【図２】図２は、本発明の第１の実施の形態におけるエレベータ装置において、テールコードの断面構成を示す図。
【図３】図３は、本発明の第１の実施の形態におけるエレベータ装置において、テールコードガイドの取付部の構成を示す図。
【図４】図４は、本発明の第１の実施の形態におけるエレベータ装置において、テールコードガイドの取付部の構成を上方から示す図。
【図５】図５は、本発明の第２の実施の形態におけるエレベータ装置において、昇降路側ヒータの取付部の構成を示す図。
【図６】図６は、本発明の第３の実施の形態におけるエレベータ装置において、温度センサが取り付けられた状態を示す図。
【図７】図７は、本発明の第４の実施の形態におけるエレベータ装置において、乗りかご上に乗りかご側ヒータが取り付けられた状態を示す図。
【図８】図８は、本発明の第５の実施の形態におけるエレベータ装置において、昇降路の底部に底部側ヒータが取り付けられた状態を示す図。
【符号の説明】
【００５０】
１      エレベータ装置
２      昇降路
２ａ    底部
３      乗りかご
４      主ロープ
５      釣合重り
６      ガイドレール
７      機械室
８      駆動装置
９      制御装置
１０    テールコード
１０Ａ  一端
１０Ｂ  他端
１０ａ  電力ケーブル
１０ｂ  信号電送ケーブル
１０ｃ  樹脂被覆
１１    ガイド用ブラケット
１２    レールクリップ
１３    テールコード保護金網
１４    テールコードガイド
１５    ボルト
１６    電熱線
１７    温度センサ
１８    センサ用ブラケット
１９    乗りかご側ヒータ
２０    底部側ヒータ
【図１】
2009220936.tif 000003
【図２】
2009220936.tif 000004
【図３】
2009220936.tif 000005
【図４】
2009220936.tif 000006
【図５】
2009220936.tif 000007
【図６】
2009220936.tif 000008
【図７】
2009220936.tif 000009
【図８】
2009220936.tif 000010